(57)【要約】  脊椎ケージ（８０）は、脊椎（８３、８５）に取り付けることができる第１脊椎取り付け部材及び第２脊椎取り付け部材（８２、８４）を備え、第１脊椎取り付け部材及び第２脊椎取り付け部材（８２、８４）は、間接ジョイント（８６、８８）によって互いに関節でつながっており、第１脊椎取り付け部材及び第２脊椎取り付け部材（８２、８４）の間の楔作用のために配置された楔要素（９０）と、第１脊椎取り付け部材及び第２脊椎取り付け部材（８２、８４）の間で楔要素（９０）をさらに割り込む又は第１脊椎取り付け部材及び第２脊椎取り付け部材（８２、８４）から楔要素（９０）をさらに離れる方向に楔要素（９０）を移動するために楔要素（９０）に連結されているアクチュエータ（９２）によって特徴づけられる。【選択図】図１
2015506233.tif 000002
【特許請求の範囲】
【請求項１】
脊椎ケージ（８０）であって、
脊椎（８３、８５）に取り付けることができる第１脊椎取り付け部材及び第２脊椎取り付け部材（８２、８４）を備え、
第１脊椎取り付け部材及び第２脊椎取り付け部材（８２、８４）は、間接ジョイント（８６、８８）によって互いに関節でつながっており、
第１脊椎取り付け部材及び第２脊椎取り付け部材（８２、８４）の間の楔作用のために配置された楔要素（９０）と、
第１脊椎取り付け部材及び第２脊椎取り付け部材（８２、８４）の間で楔要素（９０）をさらに割り込む又は第１脊椎取り付け部材及び第２脊椎取り付け部材（８２、８４）から楔要素（９０）をさらに離れる方向に楔要素（９０）を移動するために楔要素（９０）に連結されているアクチュエータ（９２）によって特徴づけられる、脊椎ケージ。
【請求項２】
請求項１記載の脊椎ケージ（８０）において、
間接ジョイントは、雌部材（８８）に枢動可能に収容される雄部材（８６）を備える、脊椎ケージ。
【請求項３】
請求項１記載の脊椎ケージ（８０）において、
第１脊椎取り付け部材及び第２脊椎取り付け部材（８２、８４）は、楔要素（９０）を収容するための溝（９４）が形成されている、脊椎ケージ。
【請求項４】
請求項１記載の脊椎ケージ（８０）において、
爪（１０２）及び歯トラック（１０４）を備えるラチェット機構（１００）は、第１脊椎取り付け部材及び第２脊椎取り付け部材（８２、８４）に取り付けられる、脊椎ケージ。
【請求項５】
請求項１記載の脊椎ケージ（８０）において、
間接ジョイント（８６、８８）は、自由な回転度で間接ジョイントを中心にした関節を可能にする、脊椎ケージ。
【請求項６】
請求項１記載の脊椎ケージ（８０）において、
第１脊椎取り付け部材及び第２脊椎取り付け部材（８２、８４）は、平らなプレートを備える、脊椎ケージ。
【請求項７】
請求項１記載の脊椎ケージ（８０）において、
ストッパ（９５）は、第１脊椎取り付け部材及び第２脊椎取り付け部材（８２、８４）に提供されたくぼみ（９６）に受け入れられる、脊椎ケージ。
【発明の詳細な説明】
【技術分野】
【０００１】
本発明は、概ね、脊椎インプラント及び人工器官、特に回転可能な脊椎ケージに関する。
【背景技術】
【０００２】
脊柱側弯症は、多くの人に影響を与える脊柱変形である。現在の外科的治療は、茎スクリューによって頸椎に長い融合ロッドを固定することを含む。ロッドシステムは、より健康な位置に変形した脊柱を強制することを意図している。多くの場合、融合によって治療される他の脊椎障害は、過度な脊柱後弯及び過度な脊柱前弯を含む。
【発明の概要】
【課題を解決するための手段】
【０００３】
本発明は、隣接する椎体の間に挿入された脊椎ケージを使用して、脊柱変形を矯正するための改善された方法を提供することを目的とする。脊椎ケージは、回転枢軸及び一方向への回転を許容しながら反対方向への回転を防止する機構を有するように構成される。
【０００４】
本発明の一実施形態では、脊椎ケージは、傾斜面に沿ってケージの回転中心に向かって摺動又は移動できる楔によって回転される（枢動される）。楔は、アクチュエータ（例えば、スプリングやその他）によって引っ張られ又は押されることにより、移動できる。また、楔は、経皮的処置を通じたシャフトによって、あるいは、電動モータ、磁石構成又は当業者に公知の他の手段などの移植可能な機構によって、作動され、押され、又は引っ張られることができる。
【０００５】
本発明の一実施形態では、脊椎ケージは、ラチェット機構を含む。脊椎ケージを埋め込んだ後、及び、患者が手術から回復した後、患者は、適切な方向に曲がるように促進される。回転可能な機構は、小さな増分の角度補正を捕捉し、患者の体を新しい位置に慣れることを可能にする。このように、少しずつ段階的に、変形が補正されることができる。
【０００６】
本発明は、図面と併せて以下の詳細な説明から理解され、より完全に理解されるであろう。
【図面の簡単な説明】
【０００７】
【図１】図１は、本発明の非限定的な実施形態に従って構成されて動作される、一方向に回転可能な脊椎ケージの縦横断面の簡略図である。
【図２】図２は、本発明の実施形態に従って、図１の脊椎ケージの第１脊椎取り付け部材及び第２脊椎取り付け部材の簡略図である。
【図３】図３は、本発明の別の実施形態に従って構成されて動作される、ラチェット機構を含む一方向に回転可能な脊椎ケージの簡略図である。
【発明を実施するための形態】
【０００８】
本発明の実施形態に従って構成され動作される、回転可能な脊椎ケージ８０を示す図１を参照する。
【０００９】
脊椎ケージ８０は、第１脊椎取り付け部材８２及び第２脊椎取り付け部材８４を含み、第１脊椎取り付け部材８２及び第２脊椎取り付け部材８４は、限定しないが平らなプレートにすることができる。第１脊椎取り付け部材８２及び第２脊椎取り付け部材８４は、二つの隣接する脊椎８３及び８５にそれぞれ取り付けられる。そのプレートは、脊椎の骨又は組織への増強された結合のために脊椎と相互作用する粗い又はざらざらな面を有する（他の接着促進剤は、組織と結合するためのコーティングなどを使用されることができる）。例えば、脊椎ケージ８０の固定は、スパイク、ねじ、又は当業者に公知の他の手段によって高めることができる。
【００１０】
第１脊椎取り付け部材８２及び第２脊椎取り付け部材８４は、間接ジョイントによって互いに関節でつながる。従って、脊椎ケージ８０は、自由な回転度で間接ジョイントを中心にして枢動することができる。図示の実施形態では、間接ジョイントは、雌部材８８に枢動可能に収容される雄部材８６を含む。図示の実施形態では、雄部材８６は、第１脊椎取り付け部材８２から延在し、雌部材８８は、第２脊椎取り付け部材８４に形成される。当然ながら、配置を逆にすることができる。
【００１１】
楔要素９０は、第１脊椎取り付け部材８２と第２脊椎取り付け部材８４との間の楔作用のために配置される。楔要素９０は、概ね、円錐形又は台形の形状あるいは第１脊椎取り付け部材８２及び第２脊椎取り付け部材８４によって収容されることができるあらゆる他の形状を有する。アクチュエータ９２は、第１脊椎取り付け部材８２と第２脊椎取り付け部材８４との間で楔要素９０をさらに割り込む（すなわち楔効果を増大させる）又は第１脊椎取り付け部材８２と第２脊椎取り付け部材８４から楔要素９０をさらに離れる方向に楔要素９０を移動するために楔要素９０に連結されている。アクチュエータ９２は、限定しないが、スプリング、モータ、リニアアクチュエータ、ソレノイド等にすることができる。アクチュエータ９２は、直接的に、又は、ひも、ロッド又は他の接続要素によって、楔要素９０を引っ張る又は押すことができる。
【００１２】
楔要素９０と接触する第１脊椎取り付け部材８２及び第２脊椎取り付け部材８４の表面は、楔とその部材との間の摩擦を増加するために、磨かれる、粗面化される、溝が付される等がなされることができる。一実施形態では、楔要素９０は、楔要素を引っ張ることを可能にするための及び一方向性機構を解放して第１脊椎取り付け部材８２及び第２脊椎取り付け部材８４の別方向への回転を可能にするためのツールで把持するためにねじ穴、ピン、溝などを有することができる。
【００１３】
図２を参照すると、第１脊椎取り付け部材８２及び第２脊椎取り付け部材８４には、楔要素９０（図２には示されていない）を収容するための溝９４が形成されているのがわかる。くぼみ９６に受け入れられるストッパ９５が、第１脊椎取り付け部材８２及び第２脊椎取り付け部材８４に提供される。アクチュエータ９２は、図１に示されるようにストッパ９５に取り付けられる。ストッパは、脊椎ケージ８０の枢動運動を制限するために使用される。
【００１４】
本発明の実施形態に従って構成されて動作される、別の変形例の回転可能な脊椎ケージ８０を示す図３を参照する。この実施形態では、爪１０２及び歯トラック１０４を含むラチェット機構１００が第１脊椎取り付け部材８２及び第２脊椎取り付け部材８４に取り付けられる。このように、脊椎ケージ８０は、あらゆる所望の回転方向に回転されかつロックされる。
【図１】
2015506233.tif 000003
【図２】
2015506233.tif 000004
【図３】
2015506233.tif 000005
【国際調査報告】
2015506233.tif 000006
2015506233.tif 000007
2015506233.tif 000008